(57)【要約】【課題】使用者にとっても、管理者にとっても、使い勝手の良いヒートポンプ式給湯装置を提供すること。【解決手段】ヒートポンプユニットＡやタンクユニットＢをメンテナンスする際の手順に係るデータを台所リモコン４０に搭載された外部メモリ５０に格納しておくことにより、メンテナンスする際に、操作スイッチ６８を操作すると、マイクロコンピュータ５１は前記外部メモリ５０に格納されたメンテナンスする際の手順に係るデータを読み出して、前記台所リモコン４１の表示装置４２にメンテナンスする際の手順を表示させることができる。【選択図】図２
2008164248.tif 000002
【特許請求の範囲】
【請求項１】
ヒートポンプユニットにより加熱される温水を貯湯するタンクユニット内の貯湯タンクに接続された配管を介して温水を給湯するようにしたヒートポンプ式給湯装置において、台所に設けられて表示装置を備え前記タンクユニット内に設けられた制御装置に接続される台所リモートコントローラに、着脱可能な外部メモリを搭載したことを特徴とするヒートポンプ式給湯装置。
【請求項２】
前記ヒートポンプユニットやタンクユニットの状態を前記外部メモリに格納することを特徴とする請求項１に記載のヒートポンプ式給湯装置。
【請求項３】
前記ヒートポンプユニットやタンクユニットをメンテナンスする際の手順に係るデータを前記外部メモリに格納し、メンテナンスする際の操作スイッチの操作に基づいて前記台所リモートコントローラの前記表示装置にメンテナンスする際の手順を表示させることを特徴とする請求項１に記載のヒートポンプ式給湯装置。
【請求項４】
映像や音楽等に係るデータを前記外部メモリに格納することを特徴とする請求項１に記載のヒートポンプ式給湯装置。
【発明の詳細な説明】
【技術分野】
【０００１】
本発明は、ヒートポンプユニットにより加熱される温水を貯湯するタンクユニット内の貯湯タンクに接続された配管を介して温水を給湯するようにしたヒートポンプ式給湯装置に関する。
【背景技術】
【０００２】
このようなヒートポンプ式給湯装置は、例えば特許文献１などにて開示されているが、一般に、表示装置を備えた台所リモートコントローラを台所に設け、タンクユニットの制御装置と通信を可能にしている。
【特許文献１】特開２００４−５３１８５号公報
【発明の開示】
【発明が解決しようとする課題】
【０００３】
しかし、使用者にとって、前記ヒートポンプユニットやタンクユニットの状態を知りたいし、音楽や映像を楽しみたい場合もあり、管理者にとっては、前記ヒートポンプユニットやタンクユニットをメンテナンスする際にそのメンテナンスの手順がわかれば便利である。
【０００４】
そこで本発明は、使用者にとっても、管理者にとっても、使い勝手の良いヒートポンプ式給湯装置を提供することを目的とする。
【課題を解決するための手段】
【０００５】
このため第１の発明は、ヒートポンプユニットにより加熱される温水を貯湯するタンクユニット内の貯湯タンクに接続された配管を介して温水を給湯するようにしたヒートポンプ式給湯装置において、台所に設けられて表示装置を備え前記タンクユニット内に設けられた制御装置に接続される台所リモートコントローラに、着脱可能な外部メモリを搭載したことを特徴とする。
【０００６】
また第２の発明は、第1の発明において、前記ヒートポンプユニットやタンクユニットの状態を前記外部メモリに格納することを特徴とする。
【０００７】
第３の発明は、第１の発明において、前記ヒートポンプユニットやタンクユニットをメンテナンスする際の手順に係るデータを前記外部メモリに格納し、メンテナンスする際の操作スイッチの操作に基づいて前記台所リモートコントローラの前記表示装置にメンテナンスする際の手順を表示させることを特徴とする。
【０００８】
第４の発明は、第１の発明において、映像や音楽等に係るデータを前記外部メモリに格納することを特徴とする。
【発明の効果】
【０００９】
本発明によれば、使用者にとっても、管理者にとっても、使い勝手の良いヒートポンプ式給湯装置を提供することができる。
【発明を実施するための最良の形態】
【００１０】
以下、本発明の実施の形態を図面に基づき説明する。図１は貯湯式温水器としてのヒートポンプ式給湯装置の全体システムを示す系統図である。図１において、Ａはヒートポンプユニット、Ｂはタンクユニット、ＣはタンクユニットＢ内の貯湯用の温水循環路、Ｒは前記ヒートポンプユニットＡに内蔵された冷媒回路である。この冷媒回路Ｒにおいて、ＨＦＣやＣＯ２（二酸化炭素）等の冷媒を用いることができるが、本実施形態ではＣＯ２を用いるものとする。
【００１１】
前記冷媒回路Ｒは、ＣＯ２冷媒を吸入圧縮し高温高圧にする能力調整が可能（能力可変）な２段圧縮式の圧縮機１と、冷媒と水とを熱交換させる貯湯用の加熱装置としての水冷媒熱交換器２の冷媒流路２Ａと、減圧装置としての電動膨張弁３、外気と冷媒との熱交換を行う空気熱交換器４と、アキュムレータ５とが順次環状に冷媒配管で接続されて構成される。４Ａは空気熱交換器４に通風して空気と熱交換させる熱交換用送風機のファンモータ、６は電磁弁で、通常は閉じている。ＣＯ２を冷媒として圧縮機１で超臨界圧に圧縮するヒートポンプサイクルを構成している。また、前記水冷媒熱交換器２は前記冷媒流路２Ａと水流路２Ｂとで構成される。
【００１２】
Ｓ１は水冷媒熱交換器２の冷媒出口温度を検知する温度センサ、Ｓ２は外気温度を検知する温度センサ、Ｓ３は圧縮機１の冷媒出口温度を検知する温度センサ、Ｓ４は空気熱交換器４の温度を検知する温度センサ、Ｓ５は貯湯タンク７下部からの温水の水冷媒熱交換器２への入口温度を検知する温度センサである。
【００１３】
前記温水循環路Ｃは、水冷媒熱交換器２の水流路２Ｂと貯湯タンク７とが循環ポンプ８、流量調整弁９を介して環状に接続されている。Ｓ６は水冷媒熱交換器２へ流入する水の温度を検知する温度センサで、Ｓ７は水冷媒熱交換器２から流出した温水温度を検知する温度センサである。
【００１４】
前記貯湯タンク７の上部と中間部の間には、浴槽１４の温水の追焚用の加熱循環ポンプ１２と水々熱交換器１１の一次流路１１Ａとが接続されている。また、水々熱交換器１１の二次流路１１Ｂには循環ポンプ１３を介してアダプタ１４Ａを備えた浴槽１４が接続されている。Ｓ８は追焚加熱温度センサ、Ｓ９はふろ温度センサ、Ｓ１０はふろ水位センサである。
【００１５】
１５は貯湯タンク７内の高温水と貯湯タンク７内の中温水とを混合する第１混合弁で、１６は前記第１混合弁１５からの高温水と水道圧減圧弁１９及び逆止弁２０を介する給水管２１からの低温の水道水とを混合して３６℃〜４８℃の温水とする第２混合弁で、給湯管１７を介して蛇口１８を開くことにより台所等への給湯を可能とする。Ｓ１１は流量センサで、第２混合弁１６と蛇口１８との間の給湯管１７に設けられる。Ｓ１２は給湯温度センサである。
【００１６】
２３、２４は第１、第２ふろ注湯弁、２５、２６は第１、第２逆止弁で、前記第１及び第２ふろ注湯弁２３、２４が開くことにより、第２混合弁１６を介する温水が注湯管２７及びアダプタ１４Ａを介して浴槽１４に供給されると共に同じく水々熱交換器１１の二次流路１１Ｂ、注湯管２８及びアダプタ１４Ａを介して浴槽１４に供給され、お湯張り動作がなされることとなる。このときの温水の流れる流量を流量センサＳ１３が検出し、所望量のお湯張り動作が行われるように第１制御装置３１で制御される。即ち、流量センサＳ１３から所定量が流れたことを検出した検出信号を受けた第１制御装置３１は、前記第１及び第２ふろ注湯弁２３、２４を閉じるように制御する。
【００１７】
なお、前記貯湯タンク７の容量は例えば３７０リットルであり、この貯湯タンク７には湯温検出センサＴ１、Ｔ２、Ｔ３、Ｔ４、Ｔ５、Ｔ６及びＴ７が貯湯タンク７の下部から上部まで間隔を存して設けられ、前記各湯温検出センサの検出湯温によって貯湯タンク７内の残湯量をプリント基板Ｐ１に搭載されたマイクロコンピュータなどから成る第１制御装置３１が判断する。このとき、検出センサＴ１の配置箇所は残湯量が３５０リットル、Ｔ２が同じく３００リットル、Ｔ３が２５０リットル、Ｔ４が２００リットル、Ｔ５が１５０リットル、Ｔ６が１００リットル、Ｔ７が５０リットルの位置である。
【００１８】
そして、消費者（利用者）は電力会社と季節別時間帯別電灯契約を結んで、料金の安い深夜電力時間帯では所定の時刻に貯湯量から沸き上げ量、そして全量沸き上げに必要な時間を算出し、沸き上げ終了時刻より前記必要な時間を考慮して逆算した時刻から貯湯運転を開始し、全量沸き上げ終了（温度センサＳ６の検出温度が５５℃以上）次第停止するように第１制御装置３１により制御されると共に、それ以外の時間帯では残湯量が１００リットルを割ったら貯湯運転を開始し、１５０リットル以上になったらこの貯湯運転を停止するように第１制御装置３１が制御する。
【００１９】
３３は貯湯タンク７上部に接続されたオーバーフロー管で、水が高温になると体積が膨張して水回路内の水圧が上昇するのでこの堆積膨張分をオーバーフロー水として装置外（タンクユニットＢ外）に排出する過圧力逃がし弁３４が設けられている。
【００２０】
なお、過圧力逃がし弁３４を手動で開けることにより、貯湯タンク７への初期の水張り（過圧力逃がし弁３４より空気の排出）や、貯湯タンク７からの水抜き（過圧力逃がし弁３４より空気の吸入）が可能である。
【００２１】
そして、タンクユニットＢにはマイクロコンピュータ等から成る第１制御装置３１が搭載されたプリント基板Ｐ１が設けられ、ヒートポンプユニットＡにはマイクロコンピュータ等から成る第２制御装置３２が搭載されたプリント基板Ｐ２が設けられている。また、第１制御装置３１は電源線を介して単相２００ボルト電源３５に接続されている。
【００２２】
そして、第１制御装置３１と第２制御装置３２とは、電源及び信号用ケーブル３６、通信回路３８、３９を介して接続されている。４０はお風呂場に設けられ表示装置を備えた風呂リモートコントローラ（以下、「風呂リモコン」という）、４１は台所に設けられ表示装置を備えた台所リモートコントローラである（以下、「台所リモコン」という）で、ともに電源及び信号用ケーブル３７やタンクユニットＢ内の通信回路４２を介して第１制御装置３１に接続されている。
【００２３】
なお、風呂リモコン４０と台所リモコン４１には各種データをタンクユニットＢに送信するため赤外線発光部を設けると共にタンクユニットＢには前記赤外線発光部からの信号を受光する赤外線受光部を設けることにより、風呂リモコン４０と台所リモコン４１から各種データをタンクユニットＢは受信できるようにしてもよい。
【００２４】
４３は前記第１制御装置３１に接続される時計、４４は所定時間毎に、例えば、１分毎にタイムアップ信号を出力するタイマー、４５は前記タイマー４４がタイムアップ信号を出力する度に深夜電力時間帯でヒートポンプユニットＡが運転中である場合には「１」インクリメントする夜間カウンタ、４６は前記タイマー４４がタイムアップ信号を出力する度に深夜電力時間帯以外の時間帯でヒートポンプユニットＡが運転中である場合には「１」インクリメントする昼間カウンタである。４８は第１制御装置３１に接続される各種データを格納する記憶装置としてのＲＯＭである。
【００２５】
なお、前記時計４３、タイマー４４、夜間カウンタ４５及び昼間カウンタ４６は、マイクロコンピュータである第１制御装置３１で構成してもよい。
【００２６】
また、前記台所リモコン４１には、ＳＤカード（ＳＤメモリカード）等の薄板状の外部メモリ５０を着脱可能に搭載し、マイクロコンピュータ５１が前記外部メモリ５０に格納されたデータを読み出せるように構成し、例えば、映像データであれば表示装置５２に表示させ、音声データであればスピーカ５３により再生することができる。なお、この外部メモリ５０を台所リモコン４１に着脱させる機構には、日常生活で必要となるレベルの防滴処理が施されている。
【００２７】
そして、図３に示すように、前記台所リモコン４１には、第１制御装置３１に指示して第１及び第２ふろ注湯弁２３、２４を開かせて浴槽１４へ注湯を開始させるためのふろスイッチ５５と、時刻合わせをする際に操作される時計スイッチ５６と、この時計スイッチ５６を操作させた後に時刻合わせをすべく時計を進めさせるために操作されるプラススイッチ５７と、同じく時計スイッチ５６を操作させた後に時刻合わせをすべく時計を遅らせるために操作されるマイナススイッチ５８と、操作した後に前記プラススイッチ５７又はマイナススイッチ５８の操作でふろの沸き上り時刻の設定を可能とするふろ予約設定スイッチ５９と、このふろ予約設定スイッチ５９により設定されたふろの沸き上り時刻に沸き上るように予約するためのふろ予約運転スイッチ６０と、風呂リモコン４０の優先スイッチ（図示せず）の操作より遅れて操作される台所リモコン４１の操作を優先させる（風呂リモコン４０の操作を無効とさせる）ための優先スイッチ６１と、前記外部メモリ５０に格納された各種映像や音楽等のうち楽しみたい映像や音楽等を選択するためにそれらの一覧リストを前記表示装置５２に表示させるために操作するメニュースイッチ６２と、このメニュースイッチ６２の操作により前記表示装置５２に表示された一覧リストの中から任意のものを指示選択するカーソルを上に移動させる上昇スイッチ６３と、同じくカーソルを下に移動させる下降スイッチ６４と、上昇スイッチ６３又は下降スイッチ６４の操作によりカーソルを移動させて任意のものを指示選択した後に操作されると画像又は音声を再生させるための再生スイッチ６５と、給湯温度を設定するための昇温スイッチ６６及び降温スイッチ６７と、前記ヒートポンプユニットＡやタンクユニットＢをメンテナンスする際に前記表示装置５２にメンテナンスする際の手順を表示させるための操作スイッチ６８とを備えている。
【００２８】
〈貯湯運転〉
初めに、貯湯運転について、説明する。料金の安い深夜電力時間帯では所定の時刻に貯湯タンク７の貯湯量から沸き上げ量、そして全量沸き上げに必要な時間を算出し、沸き上げ終了時刻より前記必要な時間を考慮して逆算した時刻から貯湯運転が開始される。また、それ以外の時間帯では残湯量が１００リットルを割ったら、即ち湯温検出センサＴ６が湯温５５℃未満を検出した場合には、貯湯運転が開始される。
【００２９】
即ち、前記湯温検出センサＴ６からの検出出力に基づいて、貯湯タンク７に貯湯が行なわれ、第１制御装置３１は循環ポンプ８を運転させ、温水循環路Ｃでは、貯湯タンク７→循環ポンプ８→水冷媒熱交換器２の水流路２Ｂ→貯湯タンク７の順に給湯用の温水が流れ、貯湯タンク７に貯湯される。このとき、ヒートポンプユニットＡでは、タンクユニットＢの第１制御装置３１からの運転指示を受けた第２制御装置３２により圧縮機１が運転し、冷媒回路Ｒでは、圧縮機１→水冷媒熱交換器２の冷媒流路２Ａ→電動膨張弁３→空気熱交換器４→アキュムレータ５→圧縮機１の順に冷媒が流れる。
【００３０】
従って、水冷媒熱交換器２の冷媒流路２Ａに流れる冷媒と水流路２Ｂを流れる水とが熱交換して高温水となり、前述したように、この高温水が貯湯タンク７に貯湯されることとなる。
【００３１】
そして、前記深夜電力時間帯では全量沸き上げが終了した場合（水冷媒熱交換器２へ流入する温水の温度を検知する湯温検出センサＳ６が５５℃以上を検出した場合）、またそれ以外の時間帯では残湯量が１５０リットル以上となったら、即ち湯温検出センサＴ５が５５℃以上を検出した場合には、貯湯運転が停止されるように第１制御装置３１が制御する。
【００３２】
〈給湯動作〉
貯湯タンク７に貯湯された高温水と中温水とを混合する第１混合弁１５からの高温水と水道圧減圧弁１９及び逆止弁２０を介する給水管２１からの低温の水道水とが第２混合弁１６により混合され、蛇口１８を開くことにより給湯管１７を介して台所等へ給湯がなされる。この給湯が行われた際に給水管２１から貯湯タンク７下部に給水が行われる。
【００３３】
〈浴槽１４へのお湯張り動作〉
また、風呂リモコン４０の優先スイッチ（図示せず）の操作より遅く台所リモコン４１の優先スイッチ６１が使用者により操作された状態で、ふろスイッチ５５が操作されると、ふろスイッチ５５の操作信号を受けた台所リモコン４１のマイクロコンピュータ５１はタンクユニットＢの第１制御装置３１へ浴槽１４へのお湯張り動作の指示信号を送る。
【００３４】
すると、指示信号を受けた第１制御装置３１は第１及び第２ふろ注湯弁２３、２４を開くように制御する。従って、前記第１混合弁１５からの高温水と水道圧減圧弁１９及び逆止弁２０を介する給水管２１からの低温の水道水とが第２混合弁１６により混合されて約４２℃程度とされた温水は第１及び第２ふろ注湯弁２３、２４が開くことにより、停止している循環ポンプ１３及びアダプタ１４Ａを介して、また循環ポンプ１３を介さずに水々熱交換器１１の二次流路１１Ｂ及びアダプタ１４Ａを介して浴槽１４へのお湯張り動作がなされることとなる。なお、このときの温水の流れる流量を流量センサＳ１３が検出し、この流量センサＳ１３から所定量が流れたことを検出した旨の検出信号を受けた第１制御装置３１は、前記第１及び第２ふろ注湯弁２３、２４を閉じるように制御する。
【００３５】
〈追焚き動作〉
また、台所リモコン４１の優先スイッチ（図示せず）の操作より遅く風呂リモコン４０の優先スイッチが使用者により操作された状態で、風呂リモコン４０に設けられた追焚きスイッチが操作されると、追焚きスイッチの操作信号を受けた風呂リモコン４０のマイクロコンピュータはタンクユニットＢの第１制御装置３１へ浴槽１４の温水の追焚き動作の指示信号を送る。
【００３６】
そして、第１制御装置３１は風呂リモコン４０のマイクロコンピュータから浴槽１４の温水の追焚き動作の指示信号を受けると、第１制御装置３１は加熱循環ポンプ１２及び循環ポンプ１３を運転することにより、貯湯タンク７の高温水と浴槽１４の温水を水々熱交換器１１で熱交換し、浴槽１４の温水の追焚きを行うこともできる。
【００３７】
〈表示動作〉
なお、タンクユニットＢからヒートポンプユニットＡに、言い換えると第１制御装置３１から第２制御装置３２に運転指示が電源及び信号用ケーブル３６、通信回路３８、３９を介して送られると、ヒートポンプユニットＡ（圧縮機１）が運転することとなる。そして、運転指示を受けた第２制御装置３２はヒートポンプユニットＡを運転させ、運転している旨の信号をヒートポンプユニットＡからタンクユニットＢに、言い換えると第２制御装置３２から第１制御装置３１に送信することとなる。従って、第１制御装置３１はヒートポンプユニットＡが運転していることを把握することができる。
【００３８】
なお、凍結予防のため、タンクユニットＢからの運転指示がなくともヒートポンプユニットＡが運転する場合もあるが、このときなどでもヒートポンプユニットＡの運転を監視する第２制御装置３２から第１制御装置３１にヒートポンプユニットＡが運転している旨の信号が送信され、第１制御装置３１はヒートポンプユニットＡが運転していることを把握することができる。
【００３９】
この場合、タイマー４４がタイムアップ信号を出力する度に（１分毎に）、時計４３によりわかる深夜電力時間帯であるときに、ヒートポンプユニットＡが運転中である場合には夜間カウンタ４５が「１」インクリメントする。また同様に、深夜電力時間帯以外の時間帯であるときに、ヒートポンプユニットＡが運転中である場合には昼間カウンタ４６が「１」インクリメントする。
【００４０】
そして、この夜間カウンタ４５の計数回数と１分間とを乗算して、第１制御装置３１が夜間電力時間帯（深夜電力時間帯）でのヒートポンプユニットＡの運転時間（分単位）を算出し、更に６０分間で除算して、風呂リモコン４０及び台所リモコン４１の表示装置に時間表示する。また、昼間カウンタ４６の計数回数と１分間とを乗算して、第１制御装置３１が夜間電力時間帯（深夜電力時間帯）以外の時間帯でのヒートポンプユニットＡの運転時間（分単位）を算出し、更に６０分間で除算して、風呂リモコン４０及び台所リモコン４１の表示装置に時間表示する。
【００４１】
この場合、昨日の運転結果を表示した例を、図４に示す。合算した棒グラフ（但し、深夜電力時間帯とそれ以外の時間帯とがわかるように）及びそれぞれを数字表示する図４によれば、縦縞で示す夜間電力時間帯（深夜電力時間帯）は４．６時間で、無地で示す昼間電力時間帯（夜間電力時間帯以外）は０．６時間であることを示している。また、図５に示すように、現在（今日の意）を含めた１週間分を表示したり、任意の日数や月数で表示してもよく、更には昨日の運転結果を示す画面としたり、現在（今日の意）を含めた１週間分を示す画面とに切り替え表示するようにしてもよい。
【００４２】
従って、上述したような表示を使用者が見ることにより、電気料金の安い深夜電力時間帯のヒートポンプユニットＡの運転時間と電気料金の高いそれ以外の時間帯の運転時間とが容易に理解できる。
【００４３】
次に、図７に示す表示処理に係るフローチャートについて説明する。先ず、昨日の運転結果が夜間電力時間帯（深夜電力時間帯）のみであると第１制御装置３１が判断した場合には、図６に示す「表示Ａ」の図柄（絵など）を風呂リモコン４０及び台所リモコン４１の表示装置に表示させるように制御し（図４参照）、夜間電力時間帯（深夜電力時間帯）のみではなく、昼間電力時間帯（夜間電力時間帯以外）が規定値である、例えば１時間以内であると第１制御装置３１が判断した場合には、図６に示す「表示Ｂ」の図柄を風呂リモコン４０及び台所リモコン４１の表示装置に表示させるように制御し、夜間電力時間帯（深夜電力時間帯）のみではなく、昼間電力時間帯（夜間電力時間帯以外）が１時間を越えると第１制御装置３１が判断した場合には、図６に示す「表示Ｃ」の図柄を風呂リモコン４０及び台所リモコン４１の表示装置に表示させるように制御する。
【００４４】
従って、使用者はヒートポンプユニットＡの運転状況を、即ち電気料金の安い深夜電力時間帯の運転時間と電気料金の高いそれ以外の時間帯の運転時間との割合が一目瞭然に理解できることとなる。
【００４５】
〈再生動作〉
また、風呂リモコン４０の優先スイッチ（図示せず）の操作より遅く台所リモコン４１の優先スイッチ６１が使用者により操作された状態で、メニュースイッチ６２を操作すると、マイクロコンピュータ５１は前記外部メモリ５０に格納された各種映像や音楽等のうち楽しみたい映像や音楽等を選択するためにそれらの一覧リストを前記表示装置５２に表示させるように制御する。
【００４６】
そして、使用者がこのメニュースイッチ６２の操作により前記表示装置５２に表示された一覧リストの中から任意のものを指示選択するカーソルを上昇スイッチ６３又は下降スイッチ６４の操作により移動させて任意のものを指示選択した後に、再生スイッチ６５を操作すると、画像又は音声が再生され、映像データであれば表示装置５２に表示させたり、音声データであればスピーカ５３により再生することができる。
【００４７】
また、台所リモコン４１の優先スイッチ６１の操作より遅く風呂リモコン４０の優先スイッチ（図示せず）が使用者により操作された状態で、台所リモコン４１と同様に設けられたメニュースイッチを操作すると、台所リモコン４１のマイクロコンピュータ５１は前記外部メモリ５０に格納された各種映像や音楽等の一覧リストを電源及び信号用ケーブル３７を介して風呂リモコン４０のマイクロコンピュータ（図示せず）に送り、風呂リモコン４０のマイクロコンピュータ（図示せず）はそれらの一覧リストを自己の表示装置に表示させるように制御する。
【００４８】
従って、使用者はお風呂場にいても、風呂リモコン４０の表示装置に表示された一覧リストの中から任意のものを指示選択するカーソルを上昇スイッチ又は下降スイッチの操作により移動させて任意のものを指示選択した後に、再生スイッチを操作すると、画像又は音声が再生され、映像データであれば前記表示装置に表示させたり、音声データであればスピーカにより再生することができ、お風呂場にいても映像や音楽等を楽しむことができる。
【００４９】
〈メンテナンス〉
また、前記ヒートポンプユニットＡやタンクユニットＢをメンテナンスする際の手順に係るデータを前記外部メモリ５０に格納しておくことにより、メンテナンスする際に、操作スイッチ６８を操作すると、マイクロコンピュータ５１は前記外部メモリ５０に格納されたメンテナンスする際の手順に係るデータを読み出して、前記台所リモコン４１の前記表示装置４２にメンテナンスする際の手順を表示させることができる。
【００５０】
この場合、台所リモコン４１の優先スイッチ６１の操作より遅く風呂リモコン４０の優先スイッチ（図示せず）が使用者により操作された状態で、台所リモコン４１と同様に設けられた操作スイッチ（図示せず）を操作すると、台所リモコン４１のマイクロコンピュータ５１は前記外部メモリ５０に格納されたメンテナンスする際の手順に係るデータを電源及び信号用ケーブル３７を介して風呂リモコン４０のマイクロコンピュータ（図示せず）に送り、風呂リモコン４０のマイクロコンピュータ（図示せず）は自己の表示装置にメンテナンスする際の手順を表示させるように制御し、風呂場でも前記手順を確認できる。
【００５１】
なお、前記ヒートポンプユニットＡやタンクユニットＢの状態、例えば、それらの運転状態やエラー状態等を台所リモコン４１の前記外部メモリ５０に格納することにより、表示装置４２に表示させることもできる。
【００５２】
即ち、ヒートポンプユニットＡの第２制御装置３２は、ヒートポンプユニットＡを絶えず監視し、その状態を通信回路３９、タンクユニットＢの通信回路３８を介してタンクユニットＢの第１制御装置３１に送信する。そして、第１制御装置３１は、そのヒートポンプユニットＡの状態を通信回路４２を介して台所リモコン４１のマイクロコンピュータ５１に送信し、このマイクロコンピュータ５１は外部メモリ５０に格納させると共に表示装置４２に表示させることもできる。
【００５３】
また、タンクユニットＢの第１制御装置３１は、タンクユニットＢを絶えず監視し、その状態を通信回路４２を介して台所リモコン４１のマイクロコンピュータ５１に送信し、このマイクロコンピュータ５１は外部メモリ５０に格納させると共に表示装置４２に表示させることもできる。
【００５４】
以上本発明の実施態様について説明したが、上述の説明に基づいて当業者にとって種々の代替例、修正又は変形が可能であり、本発明の趣旨を逸脱しない範囲で前述の種々の代替例、修正又は変形を包含するものである。
【図面の簡単な説明】
【００５５】
【図１】ヒートポンプ式給湯装置の全体系統図である。
【図２】制御ブロック図である。
【図３】台所リモコンを示す図である。
【図４】表示画面を示す図である。
【図５】他の表示例を示す図である。
【図６】図柄を示す図である。
【図７】表示処理に係るフローチャートを示す図である。
【符号の説明】
【００５６】
７            貯湯タンク
３１          第１制御装置
３２          第２制御装置
４０          風呂リモコン
４１          台所リモコン
５０          外部メモリ
５２          表示装置
５３          スピーカ
Ａ            ヒートポンプユニット
Ｂ            タンクユニット
Ｃ            温水循環路
Ｒ            冷媒回路
【図１】
2008164248.tif 000003
【図２】
2008164248.tif 000004
【図３】
2008164248.tif 000005
【図４】
2008164248.tif 000006
【図５】
2008164248.tif 000007
【図６】
2008164248.tif 000008
【図７】
2008164248.tif 000009